(57)【要約】【課題】ロータンクに取付けるボールタップであり、上水と中水の衛生的かつ効率的な供給を可能にする、上水中水併用ボールタップを提供すること。【解決手段】上水中水併用ボールタップは、上水、中水それぞれに接続口２と３、フロート弁４と５、吐出量調整ボールバルブ７と８、吐出口９と１０の順に備え、並列している。フロート弁４と５は１個のフロート６を共有し、弁の開閉を同時に行う。また、吐出量調整ボールバルブ７と８の２個のバルブ回転シャフトを９０度角度をちがえて連結し、上水と中水の吐出量の割合調整が可能である。  さらに上水ラインのフロート弁４と吐出量調整ボールバルブ７の途中に、手洗い用水接続口１１、オーバーフロー用水接続口１２を設けており、用途に応じて接続可能である。【選択図】図１
2007170141.tif 000002
【特許請求の範囲】
【請求項１】
本発明は、水洗トイレのロータンクや貯水槽などに取り付け可能な、上水と中水を同時に供給可能な上水中水併用ボールタップであって、  
上水ラインと、中水ラインは、それぞれ接続口、フロート弁、吐出量調整ボールバルブ、吐出口の順に備え、それぞれは左右対称の配置にある、２個のフロート弁は１個のフロートを共有しており、前記フロートの上下移動により、２個のフロート弁開閉は同時に行われる、また、吐出量調整ボールバルブの２個のバルブ回転シャフトを９０度角度をちがえて連結することにより、上水と中水の吐出量の割合を、自在に調整することができる、さらに上水ラインのフロート弁と吐出量調整ボールバルブの途中には、手洗い用水、オーバーフロー用水の管を接続可能な２個の接続口を有し、各種トイレのロータンクに、取り付け可能なことを、特徴とする上水中水併用ボールタップ
【発明の詳細な説明】
【技術分野】
【０００１】
水洗トイレのロータンクや中水利用可能なタンクへ、上水と中水を同時に、供給するためのボールタップに関する。  
【背景技術】
【０００２】
現在、日本国中水不足は深刻で季節を問わず渇水状態が発生しており、上水確保のために、大都市や水不足地域では中水道の施設が進められたり、新規ダム建設や、海水淡水化装置の建設が進められています。又、雨水やお風呂の残り湯など生活排水を洗濯機や水洗トイレ、散水などに再利用するシステムが開発されています。
【０００３】
現在、市販されている水洗トイレの場合、ロータンクにとりつけられたボールタップでは、上水か中水のどちらかの１つの水しか流せないため、中水を利用したとき、衛生上、洗浄便座の洗浄水や手洗い水には、利用できないため、汚物の洗浄水のみの利用しかできず、手洗い付便器や洗浄便座機能内蔵型の便器には使用できなかった。
【０００４】
例えば、特許文献１参照の場合、２個のボールタップを並べると、ロータンク内で場所を取りすぎる。又、外付けの切り替えレバー取手５１は手動式で手間がかかる、さらに現在発売されているロータンク付トイレのほとんどのタイプにおいて、美的観点から、給水接続口は、ロータンクの下にあるために設置において問題がある。
【０００５】
例えば、特許文献２参照のように、残り湯の供給をボールタップを用いず、配管から直接供給した場合、供給された水量をは、フロートセンサーＦ−１で感知され、そのセンサー信号が制御装置Ｃ−１に送られ、制御装置Ｃ−１の制御により、残り湯の給水と止水を、ポンプＰ−１の運転と停止で行い、上水の給水と止水を、電磁弁Ｅ−２の開閉で行っている、この場合、現在発売されているロータンク付トイレのほとんどのタイプに取り付け可能であり、美的観点も良いが、設備が複雑で費用も掛かると言う問題があった。
【特許文献１】特開２００１−１５２５０９号広報
【特許文献２】特願２００４−２６５０５３
【発明の開示】
【発明が解決しようとする課題】
【０００６】
発明が解決しようとする課題は、水洗トイレのロータンクなどに取り付けるボールタップであって、上水と中水を同時利用可能であり、上水と中水の衛生的かつ効率的な供給を可能にする、上水中水併用ボールタップを提供することにある。
【課題を解決するための手段】
【０００７】
本発明は、水洗トイレのロータンクや貯水槽などに取り付け可能な、上水と中水を同時に供給可能な上水中水併用ボールタップであって、
上水ラインと、中水ラインは、それぞれ接続口、フロート弁、吐出量調整ボールバルブ、吐出口の順に備え、それぞれは左右対称に配置する、２個のフロート弁は１個のフロートを共有しており、前記フロートの上下移動により、２個のフロート弁開閉は同時に行われる、また、吐出量調整ボールバルブの２個のバルブ回転シャフトを９０度角度をちがえて連結することにより、上水と中水の吐出量の割合を、自在に調整することができる、さらに上水ラインのフロート弁と吐出量調整ボールバルブの途中には、手洗い用水、オーバーフロー用水の管を接続可能な２個の接続口を有し、各種トイレのロータンクに、取り付け可能なことを、特徴とするものである。
【０００８】
本発明において、上水道と中水道を利用するときは、
吐出量調整ボールバルブによる上水と中水の、吐出量の割合を上水０：中水１００に、調整することで、手洗い用水、オーバーフロー用水は上水のみを利用し、汚物の洗浄水は中水のみで利用することができる。
【０００９】
また、上水道とお風呂の残り湯をポンプで供給して利用するときは、
吐出量調整ボールバルブによる上水と中水の、吐出量の割合を上水１：残り湯５に、調整することで、手洗い用水、オーバーフロー用水は上水のみを利用し、汚物の洗浄水は上水１：残り湯５の割合で供給される。残り湯の供給中に、残り湯がなくなったときは、残り湯の供給は止まり、上水のみ供給され、やがて定量になると、上水中水併用ボールタップのフロートは上がり、上水の供給は止まる。それから後の、汚物の洗浄水の供給は上水のみの供給となるが、５分以内に供給は完了する。
【００１０】
近年、市販されているトイレのほとんどが、手洗い付や洗浄便座内蔵型など、多機能なロータンク付トイレである。
本発明では、上水ラインのフロート弁と吐出量調整ボールバルブの途中には、手洗い用水、オーバーフロー用水の管を接続可能な２個の接続口を有しており、通常パッキンとビスにより、止水されているが、取り付けられたトイレの機能に合わせて、パッキンとビスを取り外して、そこに管を接続することにより手洗い機能やオーバーフロー水を供給することを可能にしている。
【００１１】
また、洗浄便座内蔵型トイレの場合、洗浄便座用洗浄水の上水接続部は、トイレ本体の接続部と、上水中水併用ボールタップの上水接続口の途中から分岐されており洗浄便座用洗浄水は、上水のみ供給される。同様に、便座自体に洗浄機能を有するものにおいても、洗浄便座用洗浄水は、上水供給は、上水の止水栓からすぐに分岐されるので、上水のみ供給される。
また、フロートによる開閉弁はダイヤフラム式弁でも良い。
【発明の効果】
【００１２】
本発明の、上水中水併用ボールタップは、上記の機構により、市販の手洗い付トイレや洗浄便座付トイレのロータンクに取付ける事により、上水、中水の同時利用が可能になり、人の手を煩わすことなく、又、電気的な制御装置もなしに、手洗い水やオーバーフロー水には、衛生的な上水を供給し、汚物洗浄水には、中水を主として供給することが、可能になった。もちろん洗浄便座の洗浄水には上水が供給される。又、お風呂の残り湯を中水として再利用した場合、月間４トンの上水道の節水が可能である。
【発明を実施するための最良の形態】
【００１３】
以下、図面に示す実施指令に基つき本発明の実施の形態を説明する。
【実施例】
【００１４】
図１は本発明に係る上水中水併用ボールタップの実施例を示す外観図である。
【００１５】
図２は手洗い付洗浄便座トイレに上水中水併用ボールタップを取り付けたときの、断面の略図である。
【００１６】
図３はお風呂の残り湯をポンプユニットを利用して、上水中水併用ボールタップ付トイレに供給したときの概略構成図である。
【００１７】
図３で示すように、お風呂の残り湯は中水として、お風呂に取り付けられた風呂循環アダプター３３の戻りライン３４から分岐され、中水配管３５により、ポンプユニット３７を経由して、水洗トイレへ送られる。
中水配管３５と上水配管３６は、水洗トイレのロータンクに設置された上水中水併用ボールタップ１の中水接続口２と上水接続口３に接続されている。
ポンプユニット３７は、残湯センサー３８と複合型空気調整弁３９、ポンプ４０、逆止弁４１、圧力タンク４２と圧力センサー４３が内蔵しており、ポンプ４０は、圧力タンク４２の内圧が下がると作動し、残り湯がある限り加圧供給可能なものである。
ロータンク５８内の水位が定量で、上水中水併用ボールタップ１が閉の時、中水配管内は加圧状態で保たれ、圧力センサー４３の働きでポンプ４０は休止している、トイレ使用後ロータンク５８内の水位が下がり、上水中水併用ボールタップ１のフロート６が下がると、中水配管３５の内圧は下がり、ポンプ４０が起動し残り湯は供給される、同時に上水も供給される。
このとき上水中水併用ボールタップ１の水量調整バルブ７と８は、上水と残り湯を１：５の割合で供給するように設定されており、ロータンク５８内には、残り湯が優先的に供給され、フロート６が上がると、上水  残り湯、共に止水される。
残り湯供給中に、残り湯がな無くなると、大１タンク４５内に空気が吸い込まれ、残湯センサー４４の反応によりポンプ４０は停止し残り湯の供給は停止するが、上水のみが供給され定量で止水される。
【産業上の利用可能性】
【００１８】
本発明はロータンク付トイレや中水利用可能なタンクなどに利用可能である。  
【図面の簡単な説明】
【００１９】
【図１】本発明に係る上水中水併用ボールタップの実施例を示す外観図である。
【図２】手洗い付洗浄便座トイレに上水中水併用ボールタップを取り付けたときの、断面の略図である。
【図３】お風呂の残り湯をポンプユニットを利用して、上水中水併用ボールタップ付トイレに供給したときの概略構成図である。
【図４】背景技術参考文献
【符号の説明】
【００２０】
１    上水中水併用ボールタップ
２    中水接続口
３    上水接続口
４    フロート弁  （中水）
５    フロート弁  （上水）
６    フロート
７    吐出量調整ボールバルブ  （中水）
８    吐出量調整ボールバルブ  （上水）
９    吐出口（中水）
１０  吐出口（上水）
１１  手洗い用水接続口
１２  オーバーフロー用水接続口
３２  制御装置
３３  風呂循環アダプター
３４  戻りライン
３５  中水配管
３６  上水配管
３７  ポンプユニット
３８  残湯センサー
３９  複合型空気調整弁
４０  ポンプ
４１  逆止弁
４２  圧力タンク
４３  圧力センサー
４４  残湯センサー
４５  第１タンク
５１  切り替えレバー取手
５２  上水接続管
５３  中水接続管
５４  上水管ボールバルブ
５５  中水管ボールバルブ
５６  上水用ボールタップ
５７  中水用ボールタップ
５８  ロータンク
５９  浴槽
６０  ラインポンプユニット
Ｃ−１  制御装置
Ｅ−１  電磁弁−常閉型
Ｅ−２  電磁弁−常開型
Ｆ−１  フロートセンサー１
Ｆ−２  フロートセンサー２
Ｐ−１  ポンプ  
【図１】
2007170141.tif 000003
【図２】
2007170141.tif 000004
【図３】
2007170141.tif 000005
【図４】
2007170141.tif 000006